【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
原稿台に載置された原稿をスキャンするスキャナキャリッジを備えた画像読取装置の制御装置であって、
スキャン動作終了後に原稿台カバーが開かれたことを検知する検知手段と、
前記検知手段による検知結果に応じて、前記スキャナキャリッジが待機位置へ移動する際の移動速度を、複数の移動速度の中から選択して設定する速度設定手段と
を備え、
前記スキャン動作終了後に前記原稿台カバーが開かれたことが検知された場合の前記移動速度は、前記スキャン動作終了後に前記原稿台カバーが開かれたことが検知されていない場合の前記移動速度よりも速いことを特徴とする制御装置。
【請求項２】
前記複数の移動速度は、運転効率を重視し、所定時間内に前記待機位置への移動を完了させる第１の速度、静音化を重視し、前記第１の速度よりも低速な第２の速度であって、所定の静音化基準より小さな音量が生じる第２の速度、及び、前記第１の速度より低速、かつ、前記第２の速度より高速な第３の速度を含むことを特徴とする請求項１に記載の制御装置。
【請求項３】
前記第１の速度は、前記画像読取装置が静音化を重視したモードに設定されていない場合に選択されることを特徴とする請求項２に記載の制御装置。
【請求項４】
前記第２の速度は、前記原稿台カバーが開かれたことが検知されず、かつ、前記画像読取装置が静音化を重視したモードに設定されている場合に選択されることを特徴とする請求項２または３に記載の制御装置。
【請求項５】
前記第３の速度は、前記原稿台カバーが開かれたことが検知され、かつ、前記画像読取装置が静音化を重視したモードに設定されている場合に選択されることを特徴とする請求項２乃至４のいずれか１項に記載の制御装置。
【請求項６】
前記第２の速度は、前記原稿台カバーが開かれたことが検知され、かつ、前記画像読取装置が静音化を重視したモードに設定されており、かつ、前記待機位置への移動距離が所定の閾値より短い場合に選択されることを特徴とする請求項２に記載の制御装置。
【請求項７】
前記第３の速度は、前記原稿台カバーが開かれたことが検知され、かつ、前記画像読取装置が静音化を重視したモードに設定されており、かつ、前記待機位置への移動距離が所定の閾値より長い場合に選択されることを特徴とする請求項２に記載の制御装置。
【請求項８】
前記複数の移動速度は、運転効率を重視し、所定時間内に前記待機位置への移動を完了させる第１の速度、静音化を重視し、前記第１の速度よりも低速な第２の速度であって、所定の静音化基準より小さな音量が生じる第２の速度、及び、前記第１の速度よりも高速な第３の速度であって、所定の音量より小さな稼働音が生じる第３の速度を含むことを特徴とする請求項１に記載の制御装置。
【請求項９】
前記第１の速度は、前記原稿台カバーが開かれたことが検知されず、かつ、前記画像読取装置が運転効率を重視したモードに設定されている場合に選択されることを特徴とする請求項８に記載の制御装置。
【請求項１０】
前記第２の速度は、前記画像読取装置が運転効率を重視したモードに設定されていない場合に選択されることを特徴とする請求項８または９に記載の制御装置。
【請求項１１】
前記第３の速度は、前記原稿台カバーが開かれたことが検知され、かつ、前記画像読取装置が運転効率を重視したモードに設定されている場合に選択されることを特徴とする請求項８乃至１０のいずれか１項に記載の制御装置。
【請求項１２】
前記所定時間は、ユーザによる原稿交換作業に必要な時間、及び、前記画像読取装置が前記ユーザの指示を受けてからスキャン動作を開始するまでの時間を含むことを特徴とする請求項２乃至１１のいずれか１項に記載の制御装置。
【請求項１３】
前記所定の音量は、ユーザによる原稿交換作業に伴い前記画像読取装置が発する音の音量であることを特徴とする請求項２乃至１１のいずれか１項に記載の制御装置。
【請求項１４】
前記検知手段は、前記スキャナキャリッジをスキャン指定範囲から副走査方向に移動させた検知位置において光源を点灯及び消灯させ、前記スキャナキャリッジが備えるイメージセンサからのセンサ出力データを所定の閾値と比較することで、前記原稿台カバーの開閉状態の変化を検知することを特徴とする請求項１乃至１３のいずれか１項に記載の制御装置。
【請求項１５】
原稿台に載置された原稿をスキャンするスキャナキャリッジを備えた画像読取装置の制御方法であって、
スキャン動作終了後に原稿台カバーが開かれたことを検知する検知ステップと、
検知結果に応じて、前記スキャナキャリッジが待機位置へ移動する際の移動速度を、複数の移動速度の中から選択して設定する設定ステップと
を含み、
前記スキャン動作終了後に前記原稿台カバーが開かれたことが検知された場合の前記移動速度は、前記スキャン動作終了後に前記原稿台カバーが開かれたことが検知されていない場合の前記移動速度よりも速いことを特徴とする制御方法。
【請求項１６】
前記複数の移動速度は、運転効率を重視し、所定時間内に前記待機位置への移動を完了させる第１の速度、静音化を重視し、前記第１の速度よりも低速な第２の速度であって、所定の静音化基準より小さな音量が生じる第２の速度、及び、前記第１の速度より低速、かつ、前記第２の速度より高速な第３の速度を含むことを特徴とする請求項１５に記載の制御方法。
【請求項１７】
前記第１の速度は、前記画像読取装置が静音化を重視したモードに設定されていない場合に選択されることを特徴とする請求項１６に記載の制御方法。
【請求項１８】
前記第２の速度は、前記原稿台カバーが開かれたことが検知されず、かつ、前記画像読取装置が静音化を重視したモードに設定されている場合に選択されることを特徴とする請求項１６または１７に記載の制御方法。
【請求項１９】
前記第３の速度は、前記原稿台カバーが開かれたことが検知され、かつ、前記画像読取装置が静音化を重視したモードに設定されている場合に選択されることを特徴とする請求項１６乃至１８のいずれか１項に記載の制御方法。
【請求項２０】
前記第２の速度は、前記原稿台カバーが開かれたことが検知され、かつ、前記画像読取装置が静音化を重視したモードに設定されており、かつ、前記待機位置への移動距離が所定の閾値より短い場合に選択されることを特徴とする請求項１６に記載の制御方法。
【請求項２１】
前記第３の速度は、前記原稿台カバーが開かれたことが検知され、かつ、前記画像読取装置が静音化を重視したモードに設定されており、かつ、前記待機位置への移動距離が所定の閾値より長い場合に選択されることを特徴とする請求項１６に記載の制御方法。
【請求項２２】
前記複数の移動速度は、運転効率を重視し、所定時間内に前記待機位置への移動を完了させる第１の速度、静音化を重視し、前記第１の速度よりも低速な第２の速度であって、所定の静音化基準より小さな音量が生じる第２の速度、及び、前記第１の速度よりも高速な第３の速度であって、所定の音量より小さな稼働音が生じる第３の速度を含むことを特徴とする請求項１５に記載の制御方法。
【請求項２３】
前記第１の速度は、前記原稿台カバーが開かれたことが検知されず、かつ、前記画像読取装置が運転効率を重視したモードに設定されている場合に選択されることを特徴とする請求項２２に記載の制御方法。
【請求項２４】
前記第２の速度は、前記画像読取装置が運転効率を重視したモードに設定されていない場合に選択されることを特徴とする請求項２２または２３に記載の制御方法。
【請求項２５】
前記第３の速度は、前記原稿台カバーが開かれたことが検知され、かつ、前記画像読取装置が運転効率を重視したモードに設定されている場合に選択されることを特徴とする請求項２２乃至２４のいずれか１項に記載の制御方法。
【請求項２６】
前記所定時間は、ユーザによる原稿交換作業に必要な時間、及び、前記画像読取装置が前記ユーザの指示を受けてからスキャン動作を開始するまでの時間を含むことを特徴とする請求項１６乃至２５のいずれか１項に記載の制御方法。
【請求項２７】
前記所定の音量は、ユーザによる原稿交換作業に伴い前記画像読取装置が発する音の音量であることを特徴とする請求項１６乃至２５のいずれか１項に記載の制御方法。
【請求項２８】
前記検知ステップは、前記スキャナキャリッジをスキャン指定範囲から副走査方向に移動させた検知位置において光源を点灯及び消灯させ、前記スキャナキャリッジが備えるイメージセンサからのセンサ出力データを所定の閾値と比較することで、前記原稿台カバーの開閉状態の変化を検知することを特徴とする請求項１５乃至２７のいずれか１項に記載の制御方法。
【請求項２９】
コンピュータを、請求項１乃至１４のいずれか１項に記載の制御装置として機能させるためのプログラム。
【手続補正２】
【補正対象書類名】明細書
【補正対象項目名】００１０
【補正方法】変更
【補正の内容】
【００１０】
本発明の一実施例によると、原稿台に載置された原稿をスキャンするスキャナキャリッジを備えた画像読取装置の制御装置は、スキャン動作終了後に原稿台カバーが開かれたことを検知する検知手段を備える。また、検知手段による検知結果に応じて、スキャナキャリッジが待機位置へ移動する際の移動速度を、複数の移動速度の中から選択して設定する速度設定手段を備える。スキャン動作終了後に原稿台カバーが開かれたことが検知された場合の移動速度は、スキャン動作終了後に原稿台カバーが開かれたことが検知されていない場合の移動速度よりも速い。